(57)【特許請求の範囲】
【請求項１】
炊飯器本体と、炊飯器本体に着脱自在に収納される内鍋と、前記内鍋を炊飯器本体に支持する上枠と、前記上枠の下方に前記内鍋内の調理物を加熱するための加熱手段を備えた保護枠と、前記加熱手段を制御する制御装置を備えた加熱基板と、前記加熱基板を炊飯器本体に支持する加熱基板用基板ベースと、前記上枠の前方部に配設し、炊飯器本体の操作部を構成するフィルム部材と樹脂部材を一体成形した複数個の操作ボタンと透明可視部を有する操作パネルと、前記操作パネルの下方に配設し、炊飯操作するための入力装置を備えた操作基板と、前記操作基板を前記加熱基板用基板ベースと嵌合した状態で前記上枠に支
持する操作基板用基板ベースと、前記操作基板の上方に配設し、炊飯コースや炊飯時間等を表示するＬＣＤと、前記ＬＣＤを位置規制する凹部と前記操作パネルの複数個の操作ボタンの下方に相対する複数個の操作キーを有するＬＣＤホルダーと、前記ＬＣＤホルダーの前記凹部の上面に配設する前記ＬＣＤの表示内容が可視できるように前記ＬＣＤと相対する部分を穴形状とした炊飯コースを表示するコース表示シートとを備え、前記ＬＣＤホルダーには、前記コース表示シートの外側全周を覆い、前記コース表示シートの位置規制をするガイドリブを配設し、前記操作パネルと前記ＬＣＤホルダーの前記ガイドリブの天面との隙間を０．５ｍｍ以下とすると共に、前記上枠と前記操作パネルの嵌合隙間より大きく構成し、前記操作パネルから、前記ＬＣＤホルダーの前記ガイドリブの外側全周を覆うゴキブリ侵入防止リブａを配設し、前記ゴキブリ侵入防止リブａの側面と前記ＬＣＤホルダーの前記ガイドリブの側面との隙間を０．５ｍｍ以下とする構成し、前記ゴキブリ侵入防止リブａの下面全面に対向するゴキブリ侵入防止リブｂを配設し、前記ゴキブリ侵入防止リブａの下面と前記ゴキブリ侵入防止リブｂの隙間を０．５ｍｍ以下とすると共に、前記上枠と前記操作パネルの嵌合隙間より大きく構成したことを特徴とする炊飯器。
【請求項２】
炊飯器本体と、炊飯器本体に着脱自在に収納される内鍋と、前記内鍋を炊飯器本体に支持する上枠と、前記上枠の下方に前記内鍋内の調理物を加熱するための加熱手段を備えた保護枠と、前記加熱手段を制御する制御装置を備えた加熱基板と、前記加熱基板を炊飯器本体に支持する加熱基板用基板ベースと、前記上枠の前方部に配設し、炊飯器本体の操作部を構成するフィルム部材と樹脂部材を一体成形した複数個の操作ボタンと透明可視部を有する操作パネルと、前記操作パネルの下方に配設し、炊飯操作するための入力装置を備えた操作基板と、前記操作基板を前記加熱基板用基板ベースと嵌合した状態で前記上枠に支持する操作基板用基板ベースと、前記操作基板の上方に配設し、炊飯コースや炊飯時間等を表示するＬＣＤと、前記ＬＣＤを位置規制する凹部と前記操作パネルの複数個の操作ボタンの下方に相対する複数個の操作キーを有するＬＣＤホルダーと、前記ＬＣＤホルダーの前記凹部の上面に配設する前記ＬＣＤの表示内容が可視できるように前記ＬＣＤと相対する部分を穴形状とした炊飯コースを表示するコース表示シートとを備え、前記ＬＣＤホルダーには、前記コース表示シートの外側全周を覆い、前記コース表示シートの位置規制をするガイドリブを配設し、前記操作パネルと前記ＬＣＤホルダーの前記ガイドリブの天面との隙間を０．５ｍｍ以下とすると共に、前記上枠と前記操作パネルの嵌合隙間より大きく構成し、前記操作パネルの透明可視部の内側に操作ボタンを有する炊飯器において、前記操作ボタンの外周部にコース表示シートに対向するゴキブリ侵入防止リブｃを配設し、前記ゴキブリ侵入防止リブｃの下面と前記コース表示シートの隙間を０．５ｍｍ以下とすると共に、前記上枠と前記操作パネルの嵌合隙間より大きく構成したことを特徴とする炊飯器。
【請求項３】
操作キー側面とコース表示シートの隙間を０．５ｍｍ以下と構成すると共に、ＬＣＤホルダーのガイドリブとコース表示シートの外周端部との隙間より大きくしたことを特徴とする請求項２記載の炊飯器。
【請求項４】
炊飯器本体と、炊飯器本体に着脱自在に収納される内鍋と、前記内鍋を炊飯器本体に支持する上枠と、前記上枠の下方に前記内鍋内の調理物を加熱するための加熱手段を備えた保護枠と、前記加熱手段を制御する制御装置を備えた加熱基板と、前記加熱基板を炊飯器本体に支持する加熱基板用基板ベースと、前記上枠の前方部に配設し、炊飯器本体の操作部を構成するフィルム部材と樹脂部材を一体成形した複数個の操作ボタンと透明可視部を有する操作パネルと、前記操作パネルの下方に配設し、炊飯操作するための入力装置を備えた操作基板と、前記操作基板を前記加熱基板用基板ベースと嵌合した状態で前記上枠に支持する操作基板用基板ベースと、前記操作基板の上方に配設し、炊飯コースや炊飯時間等を表示するＬＣＤと、前記ＬＣＤを位置規制する凹部と前記操作パネルの複数個の操作ボタンの下方に相対する複数個の操作キーを有するＬＣＤホルダーと、前記ＬＣＤホルダー
の前記凹部の上面に配設する前記ＬＣＤの表示内容が可視できるように前記ＬＣＤと相対する部分を穴形状とした炊飯コースを表示するコース表示シートとを備え、前記ＬＣＤホルダーには、前記コース表示シートの外側全周を覆い、前記コース表示シートの位置規制をするガイドリブを配設し、前記操作パネルと前記ＬＣＤホルダーの前記ガイドリブの天面との隙間を０．５ｍｍ以下とすると共に、前記上枠と前記操作パネルの嵌合隙間より大きく構成し、前記ＬＣＤホルダーから、操作キーの外側全周を覆うゴキブリ侵入防止リブｄを配設し、前記ゴキブリ侵入防止リブｄの下面と前記操作基板の隙間を０．５ｍｍ以下とすると共に、前記上枠と前記操作パネルの嵌合隙間より大きく構成したことを特徴とする炊飯器。
【発明の詳細な説明】
【技術分野】
【０００１】
本発明は、一般家庭、あるいは業務用に使用する炊飯器に関するものである。
【背景技術】
【０００２】
炊飯器は、従来より、台所を主に配置されていた。台所は、常に食物及び水がある為、ゴキブリが繁殖しやすい環境にある。炊飯器には、炊飯器の内部を冷却する目的で開口部が多数存在する為、その開口部からコキブリの侵入は可能であった。また、ゴキブリは、室温が２５℃〜３１℃の状態を好む為、特に室温の低い冬期においては、炊飯器が通電状態にあると、基板部品及び加熱手段等の自己発熱により炊飯器内部の雰囲気温度は上昇し、前述のゴキブリの好む室温２５℃〜３１℃とほぼ同等になっていた。更には、ゴキブリは、自身の身体がこすれる程度の隙間、身を隠せる暗い場所を好む習性があり、炊飯器の内部はゴキブリが存在するには、最適の環境下にあった。
【０００３】
上記理由で、ゴキブリが繁殖している台所に設置された炊飯器の内部には、多くのゴキブリが炊飯器の内部に侵入し、一旦炊飯器の内部に侵入したコキブリは炊飯器の内部に滞在する傾向にあった。
【０００４】
特許文献１に、従来例の炊飯器が開示されている。従来例の炊飯器は、操作基板及び加熱基板とそれぞれに対応した基板ベースとの間に発生する隙間を０．３ｍｍ〜０．５ｍｍとする構成としたものである。この構成をとることにより、炊飯器内部に侵入したゴキブリは操作基板及び加熱基板とそれぞれに対応した基板ベースの間に侵入できなくなるため、ゴキブリが各基板背面にあるパターン間をショートすることがないため、炊飯器の基板故障を抑制するものである。
【先行技術文献】
【特許文献】
【０００５】
【特許文献１】特許第４２５４６５９号公報
【発明の概要】
【発明が解決しようとする課題】
【０００６】
特許文献１に開示された従来例の炊飯器の操作表示部の構成を図１１、図１２を用いて説明する。図１１は、従来例の炊飯器の前方中心部の要部断面図、図１２は、従来例の炊飯器の操作ボタン近傍の要部断面図である。
【０００７】
操作パネル１０１は、操作表示等を表面に印刷したフィルムと形状ベースとなる樹脂材で一体成形されており、上枠１０２の前方部に複数の爪嵌合で配設されている。その際、上枠１０２とは、操作パネル１０１の外周端部で、接触もしくは所定の隙間を有している。
【０００８】
また、操作パネル１０１は、その外表面にエンボス加工で形成されている複数個の操作ボタン１０３と、操作基板１０４に設置されている炊飯コースや炊飯時間等を表示するＬＣＤ１０５や炊飯コースを表示しているコース表示シート１０６を可視化するための透明可視部を有している。
【０００９】
コース表示シート１０６は、ＬＣＤ１０５の上方に設置するため、設置時にＬＣＤ１０５の表示内容を可視化できるようにＬＣＤ１０５の表示部と対向する部位に穴の開いた形状を有している。
【００１０】
それぞれの操作ボタン１０３の裏側には、相対する操作キー１０７を操作ボタン１０３と一定の隙間を有した状態で設置しており、その操作キー１０７の下方には、操作基板１０４の入力装置であるタクトスイッチ１０８を設置している。一定の隙間を有する構成にしているのは、初期状態での操作ボタン１０３の突き上げ防止のためである。操作キー１０７は、操作基板１０４上にＬＣＤ１０５を固定する役割を有する樹脂で成形されたＬＣＤホルダー１０９と共加工されている。
【００１１】
ＬＣＤホルダー１０９は、前述のＬＣＤ１０５を設置するための凹部１１０と、その凹部１０９の外側に上面に設置するコース表示シート１０６を位置規制する役割を有するガイドリブ１１１を有している。前記ガイドリブ１１１は、使用者から見えないよう操作パネル１０１の透明可視部の外側に相当する位置に配設されている。また、前述の構成下では、コース表示シート１０６は本来の役割である炊飯コースを表示するだけでなく、ＬＣＤ１０５とＬＣＤホルダー１０９の凹部１１０に発生する隙間を隠す役割も有している。
【００１２】
図１１に示すように操作パネル１０１とＬＣＤホルダー１０９のガイドリブ１１０には、ゴキブリが通過できる隙間（０．５ｍｍ以上）を有しているため、炊飯器本体内に侵入したゴキブリは操作基板１０４を介して、ガイドリブ１１１の内側に設置されているＬＣＤ１０５、コース表示シート１０６上を容易に通過でき、その状態を操作パネル１０１の透明可視部を介して炊飯器の使用者に目撃され、使用者に不快感を与えるという問題が発生した。
【００１３】
上記、問題を解決するために操作パネル１０１とＬＣＤホルダー１０９のガイドリブ１１１を当接し、操作表示部へゴキブリが侵入する隙間を設けない構成とする方法も考えられるが、同構成では、操作パネル１０１の操作ボタン１０３を押す際に、操作キー１０７を押す力が前述の操作パネル１０１とＬＣＤホルダー１０９のガイドリブ１１１の当接部へと伝わり、操作キー１０７を押す力が分散してしまい、操作力の低下、操作力のバラツキ、また、ガイドリブ１１１の付属するＬＣＤホルダー１０９にはその他操作キー１０７が共加工されているため、近傍のその他操作キー１０７に力が伝わり使用者の意図に反して反応してしまう、等の問題を引き起こす可能性があり、さらには、落下等で操作パネル１０１の前面に力が付加された場合、操作パネル１０１とＬＣＤホルダー１０９のガイドリブ１１１の当接部からＬＣＤホルダー１０９を介して操作基板１０４に力が伝達し、場合によってはその力により操作基板１０４の破損を引き起こす可能性があるという課題があった。
【００１４】
本発明の炊飯器は、前記従来の課題を解決するもので、炊飯器本体の操作性能を低下させることなくゴキブリが操作表示部に侵入すること未然に防ぐことで、使用者へ不快感を与えない炊飯器を提供することを目標とする。
【課題を解決するための手段】
【００１５】
前記従来の課題を解決するために、請求項１記載の発明の炊飯器は、炊飯器本体と、炊飯器本体に着脱自在に収納される内鍋と、前記内鍋を炊飯器本体に支持する上枠と、前記上枠の下方に前記内鍋内の調理物を加熱するための加熱手段を備えた保護枠と、前記加熱手段を制御する制御装置を備えた加熱基板と、前記加熱基板を炊飯器本体に支持する加熱基板用基板ベースと、前記上枠の前方部に配設し、炊飯器本体の操作部を構成するフィルム部材と樹脂部材を一体成形した複数個の操作ボタンと透明可視部を有する操作パネルと、前記操作パネルの下方に配設し、炊飯操作するための入力装置を備えた操作基板と、前記操作基板を前記加熱基板用基板ベースと嵌合した状態で前記上枠に支持する操作基板用基板ベースと、前記操作基板の上方に配設し、炊飯コースや炊飯時間等を表示するＬＣＤと前記ＬＣＤを位置規制する凹部と、前記操作パネルの複数個の操作ボタンの下方に相対する複数個の操作キーを有するＬＣＤホルダーと、前記ＬＣＤホルダーの前記凹部の上面に配設する前記ＬＣＤの表示内容が可視できるように前記ＬＣＤと相対する部分を穴形状とした炊飯コースを表示するコース表示シートとを備え、前記ＬＣＤホルダーには、前記コース表示シートの外側全周を覆い、前記コース表示シートの位置規制をするガイドリブを配設し、前記操作パネルと前記ＬＣＤホルダーの前記ガイドリブの天面との隙間を０．５ｍｍ以下とすると共に、前記上枠と前記操作パネルの嵌合隙間より大きく構成したものである。
【００１６】
これによって、炊飯器本体の操作性能を低下させることなく、ゴキブリが炊飯器の操作表示部に侵入すること防ぐことができ、使用者へ不快感を与えない炊飯器を提供することができる。
【００１７】
さらに、操作パネルから、ＬＣＤホルダーのガイドリブの外側全周を覆うゴキブリ侵入防止リブａを配設し、前記ゴキブリ侵入防止リブａの側面と前記ＬＣＤホルダーの前記ガイドリブの側面との隙間を０．５ｍｍ以下とする構成としたものである。
【００１８】
これによって、炊飯器本体の操作性能を低下させることなく、コギブリがＬＣＤホルダーのガイドリブの側面部でのゴキブリの介在を防ぐことができ、ゴキブリの操作表示部内への侵入の可能性を低減することができる。
【００１９】
さらに、ＬＣＤホルダーにゴキブリ侵入防止リブａの下面全面に対向するゴキブリ侵入防止リブｂを配設し、前記ゴキブリ侵入防止リブａの下面とゴキブリ侵入防止リブｂの隙間を０．５ｍｍ以下とすると共に、上枠と操作パネルの嵌合隙間より大きく構成したものである。
【００２０】
これによって、炊飯器本体の操作性能を低下させることなく、コギブリが操作パネルのゴキブリ侵入防止リブａの下面からのゴキブリの侵入経路を絶つことができ、ゴキブリの操作表示部内への侵入の可能性を低減することができる。
【００２１】
請求項２記載の発明は、操作パネルの透明可視部の内側に操作ボタンを有する炊飯器において、操作ボタンの外周部にコース表示シートに対向するゴキブリ侵入防止リブｃを配設し、前記ゴキブリ侵入防止リブｃの下面とコース表示シートの隙間を０．５ｍｍ以下とすると共に、上枠と操作パネルの嵌合隙間より大きく構成したことを特徴とする請求項１に記載の炊飯器である。
【００２２】
これによって、炊飯器本体の操作性能を低下させることなく、操作ボタンの下方から侵入してきたゴキブリが操作ボタン内から炊飯器操作表示部の内部へ侵入することを防止できるため、操作パネルの透明可視部の内側に操作ボタンを設けるというデザイン性を保持したまま、使用者へ不快感の与えない炊飯器を提供することができる。
【００２３】
請求項３記載の発明は、操作キー側面とコース表示シートの隙間を０．５ｍｍ以下すると共に、ＬＣＤホルダーのガイドリブとコース表示シートの外周端部との隙間より大きくしたことを特徴とする請求項２記載の炊飯器である。
【００２４】
これによって、炊飯器本体の操作性能を低下させることなく、操作ボタン内へのゴキブリの侵入経路を絶つことができ、ゴキブリの操作表示部内への侵入の可能性を低減することができる。
【００２５】
請求項４記載の発明は、ＬＣＤホルダーから、操作キーの外側全周を覆うゴキブリ侵入防止リブｄを配設し、前記ゴキブリ侵入防止リブｄの下面と操作基板の隙間を０．５ｍｍ以下とすると共に、上枠と操作パネルの嵌合隙間より大きく構成したことを特徴とする請求項１に記載の炊飯器である。
【００２６】
これによって、炊飯器本体の操作性能を低下させることなく、操作ボタン下方の操作基板に介在するゴキブリが操作ボタン内に侵入すること防止でき、ゴキブリの操作表示部内への侵入の可能性を低減することができる。
【発明の効果】
【００２７】
本発明の炊飯器は、炊飯器本体の操作性能を低下させることなく、ゴキブリが炊飯器の操作表示部に侵入すること防ぐことができ、使用者へ不快感を与えない炊飯器を提供することができる。
【００２８】
また、操作本発明によれば、操作パネルの透明可視部の内側に操作ボタンを設ける構成をとっても、操作ボタンの下方から侵入してきたゴキブリが操作ボタン内から炊飯器操作表示部の内部へ侵入することを防止できるため、操作パネルの透明可視部の内側に操作ボタンを設けるというデザイン性を保持したまま、使用者へ不快感の与えない炊飯器を提供することができる。
【図面の簡単な説明】
【００２９】
【図１】本発明の実施の形態１の炊飯器の一部切欠した側面図
【図２】本発明の実施の形態１の炊飯器の操作表示部の詳細図
【図３】本発明の実施の形態１の炊飯器の操作ボタン近傍の要部断面図
【図４】本発明の実施の形態１の炊飯器の前方中心部の要部断面図
【図５】本発明の実施の形態２の炊飯器の前方中心部の要部断面図
【図６】本発明の実施の形態３の炊飯器の前方中心部の要部断面図
【図７】本発明の実施の形態１の炊飯器の操作表示部の詳細図
【図８】本発明の実施の形態１の炊飯器の操作ボタン近傍の要部断面図
【図９】本発明の実施の形態５の炊飯器の操作ボタン近傍の要部断面図
【図１０】本発明の実施の形態５の炊飯器の操作ボタン近傍の要部断面図
【図１１】従来例の炊飯器の炊飯器の前方中心部の要部断面図
【図１２】従来例の炊飯器の炊飯器の操作ボタン近傍の要部断面図
【発明を実施するための形態】
【００３０】
以下本発明を実施するための形態を具体的に示した実施の形態について、図面と共に記載する。
【００３１】
（実施の形態１）
図１〜図６を用いて本発明の実施の形態１の炊飯器を説明する。
【００３２】
図１は、本発明の実施の形態１の炊飯器の一部切欠した側面図である。破断部分に断面図を示す。図面を簡潔にするために、電気的接続のためのリード線等は省略してある。
【００３３】
図１において、炊飯器本体１は、ボディ２及び上枠３から構成しており、その内部に内鍋４を収納する保護枠５を設け、保護枠５の下方には加熱手段である誘導加熱コイル６が配置している。なお、加熱手段は、ヒーターであっても良い。炊飯器本体１の前面部には、炊飯器を操作するための入力装置を備えた操作基板７が傾斜した状態で操作基板用基板ベース８に設置されている。加熱手段を制御する制御装置を備えた加熱基板９は、操作基板７の下方に略垂直に加熱基板用基板ベース１０に設置されている。また、操作基板用基板ベース８と加熱基板用基板ベース１０は、鉛直方向に爪嵌合で固定し、それぞれの基板ベースは、上枠３とネジで固定し、操作基板用基板ベース８の傾斜及び加熱基板用基板ベ
ース１０の略鉛直の設置形態を維持している。操作基板７と加熱基板９は、リード線１２等を介して電気的に接続され、操作基板７の入力装置からの信号を加熱基板９に伝達し、加熱基板９の加熱装置により、内鍋４を誘導加熱し、鍋内の調理物１１を加熱調理する。調理物１１は、炊飯前の米と水又は炊き上がったご飯等である。
【００３４】
図２は、本発明の実施の形態１の炊飯器の操作表示部の詳細図、図３は、本発明の実施の形態１の炊飯器の操作ボタン近傍の要部断面図、図４は、本発明の実施の形態１の炊飯器の前方中心部の要部断面図である。炊飯器本体１の操作部構造、操作時の動作を図２、図３、図４を用いて説明する。
【００３５】
操作パネル１２は、操作表示等を表面に印刷したフィルムと形状ベースとなる樹脂材で一体成形されており、上枠３の前方部に複数の爪嵌合で配設されている。その際、上枠３とは、操作パネル１２の外周端部で、接触もしくは所定の隙間（図４のＡ）を有している。
【００３６】
図２に示すように、操作パネル１２は、その外表面にエンボス加工で形成されている複数個の操作ボタン１３と、操作基板７に設置されている炊飯コースや炊飯時間等を表示するＬＣＤ１４や炊飯コースを表示しているコース表示シート１５を可視化するための透明可視部１６を有している。
【００３７】
コース表示シート１５は、ＬＣＤ１４の上方に設置するため、設置時にＬＣＤ１４の表示内容を可視化できるようにＬＣＤ１４の表示部と対向する部位に穴の開いた形状を有している。
【００３８】
図３に示すように、それぞれの操作ボタン１３の裏側には、相対する操作キー１７を操作ボタン１３と一定の隙間を有した状態で設置しており、その操作キー１７の下方には、操作基板７の入力装置であるタクトスイッチ１８を設置している。一定の隙間を有する構成にしているのは、初期状態での操作ボタンの突き上げ防止のためである。操作キー１７は、操作基板７上にＬＣＤ１４を固定する役割を有する樹脂で成形されたＬＣＤホルダー１９と共加工されているのが一般的である。
【００３９】
図４に示すように、ＬＣＤホルダー１９は、前述のＬＣＤ１４を設置するための凹部２０と、その凹部２０の外側に上面に設置するコース表示シート１５を位置規制する役割を有するガイドリブ２１を有している。なお、コース表示シート１５は、前述の構成により、炊飯コースを表示するだけでなく、ＬＣＤ１４とＬＣＤホルダー１９の凹部２０に発生する隙間を隠す役割も果たしている。
【００４０】
ガイドリブ２１は、使用者から見えないよう操作パネル１２の透明可視部１６の外側に相当する位置に配設され、操作パネルとの隙間（図４のＢ）を０．５ｍｍ以下になるように高さ設定している。その際、この操作パネル１２とガイドリブ２１の天面との隙間は、前述の操作パネル１２と上枠の嵌合隙間（図４のＡ）より大きく設定している。
【００４１】
以下に本発明の実施の形態１の炊飯器の操作時における操作部の動作を説明する。
【００４２】
炊飯器の使用者が操作パネル１２の操作表示や操作パネル１２の透明可視部１６を介して、ＬＣＤ１４やコース表示シート１５の表示を確認し、使用したいコースを決定した後、そのコースに該当する操作ボタン１３を押すと、操作ボタン１３の裏側が操作キー１７の先端と接触し、操作キー１７の下方に設置している操作基板７の入力装置であるタクトスイッチ１８を押す。このタクトスイッチ１８が押されることにより操作基板７の入力装置からの信号を加熱基板９に伝達し、加熱基板９の加熱装置により、内鍋４を誘導加熱し
、鍋内の調理物１１を加熱調理する。
【００４３】
本発明の実施の形態１の炊飯器においては、操作パネル１２とＬＣＤホルダー１９のガイドリブ２１の天面との隙間（図４のＢ）を０．５ｍｍ以下に設定しており、従来例の炊飯器に記載のように０．５ｍｍ以下の隙間をゴキブリは通過できないため、操作パネル１２とＬＣＤホルダー１９のガイドリブ２１の天面との隙間（図４のＢ）を介してゴキブリが炊飯器本体１の操作表示部内に侵入することはない。
【００４４】
また、ＬＣＤホルダー１９のガイドリブ２１の天面との隙間（図４のＢ）を操作パネル１２と上枠の嵌合隙間（図４のＡ）より大きく設定することにより、使用者が操作ボタン１３を押した際に力が伝わる部位は、操作キー１７と操作パネル１２の外周端部と対向する上枠３のみである。このような構成をとることで、使用者が操作キー１７を押した際に、上枠３の外周端部より先にＬＣＤホルダー１９のガイドリブ２１が操作パネル１２に接触することはない。操作キー１７を押す力が、ＬＣＤホルダー１９のガイドリブ２１に伝わることがないため、操作力の設計の際には、操作キー１７と操作パネル１２の外周端部と対向する上枠３との接触のみを考慮すれば良いので、バラツキの少ない安定した操作力を設定することができる。また、ＬＣＤホルダー１９に共加工されているその他の操作キー１７に力が伝わることもないので、その他の操作キー１７が意図に反して反応するという問題も発生しない。さらには、落下等で操作パネル前面に力が付加された場合、ＬＣＤホルダー１９のガイドリブ２１を介して操作基板７に過度な力がかかることがなく、操作基板７の破損を引き起こすこともない。
【００４５】
以上のように、本発明の実施の形態１の炊飯器においては、炊飯器本体の操作性能を低下させることなく、コギブリが炊飯器本体の操作表示部に侵入すること未然に防ぐことができ、使用者へ不快感を与えない炊飯器を提供することができる。
【００４６】
（実施の形態２）
図５を用いて、本発明の実施の形態２の炊飯器の説明をする。図５は、本発明の実施の形態２の炊飯器の前方中心部の要部断面図である。
【００４７】
図５において、操作パネル１２からＬＣＤホルダー１９のガイドリブ２１の外側にＬＣＤホルダー１９のガイドリブ２１の側面部を全周覆うゴキブリ侵入防止リブａ２２を配設し、ＬＣＤホルダー１９のガイドリブ２１の側面との隙間を（図５のＣ）０．５ｍｍ以下となるように構成している。
【００４８】
その他の構成及び動作、作用は実施の形態１と同様であるため、省略する。
【００４９】
本発明の実施の形態２の炊飯器は、上記構成をとることにより、従来例の炊飯器に記載のように０．５ｍｍ以下の隙間をゴキブリは通過できないため、ＬＣＤホルダー１９のガイドリブ２１とゴキブリ侵入防止リブａ２２の間にゴキブリが介在することはない。このことにより、ゴキブリが操作表示部内への侵入の可能性を低減することができる。なお、前述の効果は、隙間０．５ｍｍ以下の領域が大きいほど効果があるので、例えば、ゴキブリ侵入防止リブａ２２をＬＣＤホルダー１９の下面２３より凸となるまで伸ばしても良い。また、ゴキブリ侵入防止リブａ２２を操作パネル７と０．５ｍｍ以下の隙間になるように伸ばし、前述の隙間を上枠３と操作パネル１２の嵌合隙間（図４のＡ）大きくすると、炊飯器本体の操作性能を低下させることなく、操作基板７に介在するゴキブリが操作表示部内に侵入する可能性を低減することができる。
【００５０】
（実施の形態３）
図６を用いて、本発明の実施の形態３の炊飯器の説明をする。図６は、本発明の実施の
形態３の炊飯器の前方中心部の要部断面図である。
【００５１】
図６において、ＬＣＤホルダー１９から操作パネル１２のゴキブリ侵入防止リブａ２２の下面全面に対向するゴキブリ侵入防止リブｂ２４を配設し、ゴキブリ侵入防止リブａ２２の下面との隙間（図６のＤ）を上枠３と操作パネル１２の嵌合隙間（図４のＡ）より大きく且つ０．５ｍｍ以下となるように構成している。
【００５２】
その他の構成及び動作、作用は実施の形態２と同様であるため、省略する。
【００５３】
本発明の実施の形態３の炊飯器は、上記構成をとることにより、従来例の炊飯器に記載のように０．５ｍｍ以下の隙間をゴキブリは通過できないため、ゴキブリ侵入防止リブａ２２の下面からのゴキブリの侵入経路を絶つことができ、ゴキブリの操作表示部内への侵入の可能性を低減することができる。また、ゴキブリ侵入防止リブａ２２の下面とゴキブリ侵入防止リブｂ２４の天面との隙間（図６のＤ）を上枠３と操作パネル１２の嵌合隙間（図４のＡ）より大きく取っているため、炊飯器本体の操作性能を低下させることもない。
【００５４】
以上のように、本発明の実施の形態３の炊飯器は、炊飯器本体の操作性能を低下させることなく、ゴキブリの操作表示部内への侵入の可能性を低減することができる。
【００５５】
（実施の形態４）
図７、図８を用いて、本発明の実施の形態４の炊飯器を説明する。図７は、本発明の実施の形態４の炊飯器の操作表示部の詳細図、図８は、本発明の実施の形態４の炊飯器の操作ボタン近傍の要部断面図である。
【００５６】
図７において、操作パネル１２の透明可視部１６内側の領域に複数個の操作ボタン１３を配設している。この構成をとることで透明可視部１６内に設置された操作ボタン１３の下方に設置した操作キー１７が、透明可視部１６を介して可視化でき、デザイン性が向上する。
【００５７】
図８において、操作ボタン１３の外周にコース表示シート１５に対向するゴキブリ侵入防止リブｃ２５を配設し、ゴキブリ侵入防止リブｃ２５の下面とコース表示シート１５との隙間（図８のＥ）を上枠３と操作パネル１２の嵌合隙間（図４のＡ）より大きく且つ０．５ｍｍ以下となるように構成している。
【００５８】
その他の構成及び動作、作用は実施の形態３と同様であるため、省略する。
【００５９】
本発明の実施の形態４の炊飯器は、上記構成をとることにより、従来例の炊飯器に記載のように０．５ｍｍ以下の隙間をゴキブリは通過できないため、操作ボタン１３の下方の操作基板７周辺から侵入してきたゴキブリは、操作ボタン１３下方を介して炊飯器本体１の内部に侵入することはできないため、ゴキブリの操作表示部内への侵入の可能性を低減することができる。
【００６０】
また、ゴキブリ侵入防止リブｃ２５の下面とコース表示シート１５の隙間（図８のＥ）を上枠３と操作パネル１２の嵌合隙間（図４のＡ）より大きく取っているため、炊飯器本体の操作性能を低下させることもない。
【００６１】
以上のように、本発明の実施の形態５の炊飯器は、炊飯器本体の操作性能を低下させることなく、ゴキブリの操作表示部内への侵入の可能性を低減することができる。
【００６２】
（実施の形態５）
図９を用いて、本発明の実施の形態５の炊飯器を説明する。図９は、本発明の実施の形態５の炊飯器の操作ボタン近傍の要部断面図である。
【００６３】
図９において、操作キー１７側面とコース表示シート１５の隙間（図９のＦ）をＬＣＤホルダー１９のガイドリブ２１とコース表示シート１５の外周端部との隙間（図９のＧ）より大きく且つ０．５ｍｍ以下となるように構成している。
【００６４】
その他の構成及び動作、作用は実施の形態４と同様であるため、省略する。
【００６５】
本発明の実施の形態５の炊飯器は、上記構成をとることにより、従来例の炊飯器に記載のように０．５ｍｍ以下の隙間をゴキブリは通過できないため、操作ボタン１３の下方の操作基板７周辺から侵入してきたゴキブリは、操作キー１７とコース表示シート１５の隙間を通過することができないことから、操作ボタン１３の下方にも侵入できない。
【００６６】
また、操作キー１７側面とコース表示シート１５の隙間（図９のＦ）をＬＣＤホルダー１９のガイドリブ２１とコース表示シート１５の外周端部との隙間（図９のＧ）より大きく取っているため、操作時にコース表示シート１５がずれた場合においても、コース表示シート１５は、操作キー１７に接触する前にその外終端部がガイドリブ２１に接触するため、操作キー１７の動作に支障を来すことがないため、炊飯器本体の操作性能を低下させることもない。
【００６７】
以上のように、本発明の実施の形態５の炊飯器は、炊飯器本体の操作性能を低下させることなく、ゴキブリの操作表示部内への侵入の可能性を低減することができる。
【００６８】
（実施の形態６）
図１０を用いて、本発明の実施の形態６の炊飯器の説明をする。図１０は、本発明の実施の形態６の炊飯器の操作ボタン近傍の要部断面図である。
【００６９】
図１０において、ＬＣＤホルダー１９から、操作キー１７の外側全周を覆うゴキブリ侵入防止リブｄ２６を配設し、ゴキブリ侵入防止リブｄ２６の下面と操作基板７の隙間（図１０のＨ）を０．５ｍｍ以下となるように構成している。
【００７０】
その他の構成及び動作、作用は実施の形態５と同様であるため、省略する。
【００７１】
発明の実施の形態６の炊飯器は、上記構成をとることにより、従来例の炊飯器に記載のように０．５ｍｍ以下の隙間をゴキブリは通過できないため、操作ボタン１３の下方の操作基板７周辺から侵入してきたゴキブリは、ゴキブリ侵入防止リブｄ２６の下面と操作基板７の隙間（図１０のＨ）を通過できないため、ゴキブリの操作表示部内への侵入の可能性を低減することができる。
【００７２】
また、ゴキブリ侵入防止リブｄ２６の下面と操作基板７の隙間（図１０のＨ）を上枠３と操作パネル１２の嵌合隙間（図４のＡ）より大きく取っているため、炊飯器本体の操作性能を低下させることもない。
【００７３】
以上のように、本発明の実施の形態６の炊飯器は、炊飯器本体の操作性能を低下させることなく、ゴキブリの操作表示部内への侵入の可能性を低減することができる。
【産業上の利用可能性】
【００７４】
本発明に係わる炊飯器は、家庭用又は業務用の炊飯器として有用である。
【符号の説明】
【００７５】
１  炊飯器本体
３  上枠
４  内鍋
５  保護枠
６  加熱手段（誘導加熱コイル）
７  操作基板
８  操作基板用基板ベース
９  加熱基板
１０  加熱基板用基板ベース
１１  調理物
１２  操作パネル
１３  操作ボタン
１４  ＬＣＤ
１５  コース表示シート
１６  透明可視部
１７  操作キー
１９  ＬＣＤホルダー
２０  凹部（ＬＣＤホルダー）
２１  ガイドリブ（ＬＣＤホルダー）
２２  ゴキブリ侵入防止リブａ
２４  ゴキブリ侵入防止リブｂ
２５  ゴキブリ侵入防止リブｃ
２６  ゴキブリ侵入防止リブｄ
【図１】
0005423292.tif 000002
【図２】
0005423292.tif 000003
【図３】
0005423292.tif 000004
【図４】
0005423292.tif 000005
【図５】
0005423292.tif 000006
【図６】
0005423292.tif 000007
【図７】
0005423292.tif 000008
【図８】
0005423292.tif 000009
【図９】
0005423292.tif 000010
【図１０】
0005423292.tif 000011
【図１１】
0005423292.tif 000012
【図１２】
0005423292.tif 000013